(57)【要約】【課題】  センターピラーの下部に脆弱部を設けて側突時に折れを誘発し、これによってセンターピラーのベルトライン部の折れを防ぐことができる車両のセンターピラー下部車体構造を提供する。【解決手段】  センターピラーインナパネル７を上部側センターピラーインナパネル７１と下部側センターピラーインナパネル７２の２分割に構成し、下部側センターピラーインナパネル７２をサイドシル部３に締結するとともに該下部側センターピラーインナパネル７２とサイドボディアウタパネル５のセンターピラー部５１との間にシートベルトリトラクタ８設置箇所を設けた構造。【選択図】        図２
2014118109.tif 000002
【特許請求の範囲】
【請求項１】
サイドボディアウタパネルのセンターピラー部とセンターピラーインナパネルとでセンターピラーを構成し、このセンタピラーの下部側にサイドシル部を形成した車両のセンターピラー下部車体構造において、前記センターピラーインナパネルを上部側センターピラーインナパネルと下部側センターピラーインナパネルの２分割に構成し、下部側センターピラーインナパネルを前記サイドシル部に締結するとともに該下部側センターピラーインナパネルと前記サイドボディアウタパネルのセンターピラー部との間にシートベルトリトラクタ設置箇所を設けたことを特徴とする車両のセンターピラー下部車体構造。
【請求項２】
前記サイドボディアウタパネルのセンターピラー部の車体前後方向両側下端部を曲線形状に形成してサイドシル部に連続させ、この湾曲部に沿うように、前記下部側センターピラーインナパネルの車体前後方向両側のフランジ部を曲線形状に形成し、この下部側センターピラーインナパネルのフランジ部を前記サイドボディアウタパネルのセンターピラー部下端部湾曲部に接合したことを特徴とする請求項１に記載の車両のセンターピラー下部車体構造。
【請求項３】
前記下部側センターピラーインナパネルのフランジ部の下部側に略四角形状のパネル部を設け、このパネル部の下部を前記サイドボディアウタパネルのサイドシル部の底部フランジ部に結合したことを特徴とする請求項２に記載の車両のセンターピラー下部車体構造。
【請求項４】
前記下部側センターピラーインナパネルの車体前後方向両側のフランジ部のそれぞれ上部側結合部と下部側結合部で囲まれた領域にシートベルトリトラクタを取り付ける結合点を設けたことを特徴とする請求項２または３に記載の車両のセンターピラー下部車体構造。
【請求項５】
前記下部側センターピラーインナパネルの上端縁部に室内方向に突出する膨出部を設け、この膨出部とサイドボディアウタパネルのセンターピラー部で囲まれた領域にシートベルトリトラクタを収納したことを特徴とする請求項１ないし４のいずれか１項に記載の車両のセンターピラー下部車体構造。
【発明の詳細な説明】
【技術分野】
【０００１】
本発明は、車両のセンターピラー下部車体構造に関する。
【背景技術】
【０００２】
一般に４ドアの小型軽量車では、車体の左右の側面にフロントドアとリヤドアがそれぞれ設けられている。これらフロントドアとリヤドアは、車体側面の前後に形成されたドア開口部にセンターピラーを挟んで前後にそれぞれ設けられている。通常、フロントドアはフロントピラーにヒンジを介してドア開口部を開閉可能に支持され、リヤドアはセンターピラーにヒンジを介してドア開口部を開閉可能に支持されている。また、リヤドアにスライドドアを採用した車両では、車体側に設けられたガイドレールに、ドア側のガイドローラを介してスライドドアがドア開口部を開閉可能に支持されている。
【０００３】
前記車体の側面は、車体上部側のルーフパネルと車体下部側のサイドシル部との間に設けられたサイドボディによって構成され、このサイドボディにフロントドアとリヤドアが組付けられている。このサイドボディは、車体外側を構成するサイドボディアウタパネルと、車体室内側を構成する各インナパネルで閉じ断面を構成している。フロントドアとリヤドアの間を仕切るセンターピラーは、サイドボディアウタパネルのセンターピラー部とセンターピラーインナパネルとで閉じ断面を構成して形成されている。センターピラーインナパネルは上部側をルーフパネルの側部両側に配設されたルーフレールに接合され、下部側をサイドシル部に接合されている。
【０００４】
前記サイドボディアウタパネルのセンターピラー部とセンターピラーインナパネルとの間には、シートベルトリトラクタが内蔵されており、このセンターピラーインナパネルの下部側には、シートベルトを引き出すための開口部が形成されている。シートベルトリトラクタは、専用ブラケットに取り付けられており、この専用ブラケットがセンターピラーインナパネルに固定されている。また、ドア用ハーネスが専用ブラケットに固定されている。
一方、サイドシル部は、サイドボディアウタパネルのサイドシル部と、サイドシルインナパネルと、サイドシルストレングスとで閉じ断面が構成されている（特許文献１、２参照）。このサイドシル部では、側突時にサイドシル部が、衝撃を受けるとサイドシルストレングスも捩じれながら、所謂、山折れの状態で屈曲することがある。この側突時のサイドシルストレングスの山折れ対策と、エンジンマウントの振動でサイドシルストレングスの断面が潰れる対策から補強部材として、バルクヘッド（隔壁）がサイドシルストレングスの断面内に配置されている。
【先行技術文献】
【特許文献】
【０００５】
【特許文献１】特開平５−２８６４５７号公報
【特許文献２】特開平７−０１００３４号公報
【発明の概要】
【発明が解決しようとする課題】
【０００６】
従来の構造では、側突時にサイドシル部が、衝撃を受けるとサイドシルストレングスも捩じれながら、山折れの状態で屈曲することがあり、このサイドシルストレングスの山折れに伴って、サイドシル部が車室内に侵入してくることがある。サイドシル部が車室内に侵入してくると、通常、センターピラーも回転を伴って車室内に侵入し、乗員に対する保護が不十分になることがある。そこで、側突時のサイドシルストレングスの山折れ対策から、バルクヘッドをサイドシルストレングスの断面内に配置する必要が生じるなど、部品点数の増大から荷重の増大とコストの増加を招くことになる。また、センターピラーインナパネルには、シートベルトを引き出すための開口部が形成されている。そこで、中間位置、所謂、ベルトラインの強度を確保するため、センターピラーインナパネルの剛性を上げるため、センターピラーインナパネルに高強度の材料を使用すると、シートベルトを引き出すための開口部を形成する作業が厄介である。さらに、サイドボディアウタパネルのセンターピラー部とセンターピラーインナパネルとの間に、シートベルトリトラクタを内蔵している。このため、シートベルトリトラクタを取り付けるための専用ブラケットを用いる必要があり、重量の増大およびコストの増加を招くことになる。
【０００７】
本発明は、上記課題を解決し、センターピラーの下部に脆弱部を設けて側突時に折れを誘発し、これによってセンターピラーのベルトライン部の折れを防ぐことができる車両のセンターピラー下部車体構造を提供することを目的とする。
【課題を解決するための手段】
【０００８】
本発明は、上記課題を解決するため、サイドボディアウタパネルのセンターピラー部とセンターピラーインナパネルとでセンターピラーを構成し、このセンタピラーの下部側にサイドシル部を形成した車両のセンターピラー下部車体構造において、前記センターピラーインナパネルを上部側センターピラーインナパネルと下部側センターピラーインナパネルの２分割に構成し、下部側センターピラーインナパネルを前記サイドシル部に締結するとともに該下部側センターピラーインナパネルと前記サイドボディアウタパネルのセンターピラー部との間にシートベルトリトラクタ設置箇所を設けたことにある。
また、本発明は、前記サイドボディアウタパネルのセンターピラー部の車体前後方向両側下端部を曲線形状に形成してサイドシル部に連続させ、この湾曲部に沿うように、前記下部側センターピラーインナパネルの車体前後方向両側のフランジ部を曲線形状に形成し、この下部側センターピラーインナパネルのフランジ部を前記サイドボディアウタパネルのセンターピラー部下端部湾曲部に接合したことにある。
さらに、本発明は、前記下部側センターピラーインナパネルのフランジ部の下部側に略四角形状のパネル部を設け、このパネル部の下部を前記サイドボディアウタパネルのサイドシル部の底部フランジ部に結合したことにある。
またさらに、本発明は、前記下部側センターピラーインナパネルの車体前後方向両側のフランジ部のそれぞれ上部側結合部と下部側結合部で囲まれた領域にシートベルトリトラクタを取り付ける結合点を設けたことにある。
また、本発明は、前記下部側センターピラーインナパネルの上端縁部に室内方向に突出する膨出部を設け、この膨出部とサイドボディアウタパネルのセンターピラー部で囲まれた領域にシートベルトリトラクタを収納したことにある。
【発明の効果】
【０００９】
第１の発明によれば、センターピラーインナパネルを上部側センターピラーインナパネルと下部側センターピラーインナパネルの２分割に構成し、下部側センターピラーインナパネルをサイドシル部に締結するとともに該下部側センターピラーインナパネルとサイドボディアウタパネルのセンターピラー部との間にシートベルトリトラクタ設置箇所を設けたので、上部側センターピラーインナパネルと下部側センターピラーインナパネルの間を脆弱部として折れを誘発する構成にしていることからセンターピラーのベルトライン部分での折れを防ぎ、搭乗者の障害値を下げることができるとともに軽量化とコストダウンができる。
第２の発明によれば、サイドボディアウタパネルのセンターピラー部の車体前後方向両側下端部を曲線形状に形成してサイドシル部に連続させ、この湾曲部に沿うように、下部側センターピラーインナパネルの車体前後方向両側のフランジ部を曲線形状に形成し、この下部側センターピラーインナパネルのフランジ部を前記サイドボディアウタパネルのセンターピラー部下端部湾曲部に接合したので、センターピラーからサイドシル部にかけての強度を向上し、サイドシル部の剛性を向上することができる。
第３の発明によれば、下部側センターピラーインナパネルのフランジ部の下部側に略四角形状のパネル部を設け、このパネル部の下部をサイドボディアウタパネルのサイドシル部の底部フランジ部に結合したので、サイドシル部の剛性を向上できることからサイドシルストレングスの山折れを防ぐことができる。
第４の発明によれば、下部側センターピラーインナパネルの車体前後方向両側のフランジ部のそれぞれ上部側結合部と下部側結合部で囲まれた領域にシートベルトリトラクタを取り付ける結合点を設けたので、専用ブラケットが不要で部品点数の削減を図ることができる。
第５の発明によれば、下部側センターピラーインナパネルの上端縁部に室内方向に突出する膨出部を設け、この膨出部とサイドボディアウタパネルのセンターピラー部で囲まれた領域にシートベルトリトラクタを収納したので、シートベルトリトラクタの収納スペースを容易に確保することができるとともに、シートベルトリトラクタの取付剛性を確保するとともに、その設置を容易に行うことができる。
【図面の簡単な説明】
【００１０】
【図１】本発明の車両のセンターピラー下部車体構造を適用した４ドアの小型軽量車の車体を示す斜視図である。
【図２】本発明の車両のセンターピラー下部車体構造を車室内側から見たシートベルトリトラクタの取付部の斜視図である。
【図３】本発明の車両のセンターピラー下部車体構造を車室内側から見たシートベルトリトラクタの取付部の正面図である。
【発明を実施するための形態】
【００１１】
以下、本発明の実施の形態を、図面を参照しながら詳細に説明する。
図１ないし図３において、４ドアの小型軽量車の車体１の側面には、車体上部側のルーフパネル２と車体下部側のサイドシル部３との間にサイドボディ４が設けられ、このサイドボディ４は、車体外側のサイドボディアウタパネル５と、車体内側の各インナパネルで閉じ断面を構成して組付けられている。前記左右のサイドボディ４には、前後にドア用開口部４Ａ，４Ｂが設けられ、これらドア用開口部４Ａ，４Ｂには、図示しないフロントドアとリヤドアが設けられている。前記左右のサイドボディ４のドア用開口部４Ａ，４Ｂ相互間には、開口部を前後に仕切るセンターピラー６が設けられている。
【００１２】
このセンターピラー６は、前記サイドボディアウタパネル５のセンターピラー部５１と、このセンターピラー部５１と接合されるセンターピラーインナパネル７とで構成されている。前記サイドボディアウタパネル５のセンターピラー部５１は、横断面略コ字形形状に形成されており、このコ字形断面内にシートベルトリトラクタ８が配置されている。前記センターピラーインナパネル７は、上部側センターピラーインナパネル７１と下部側センターピラーインナパネル７２とで上下に分割して構成されている。これら上部側センターピラーインナパネル７１と下部側センターピラーインナパネル７２は、上下方向に一定の間隙Ｋをおいて設けられており、上部側センターピラーインナパネル７１と下部側センターピラーインナパネル７２相互間にシートベルトリトラクタ８の取付部８Ａが設けられている。上部側センターピラーインナパネル７１は、剛性のある材質で成形されており、下部側センターピラーインナパネル７２は、上部側センターピラーインナパネル７１よりも剛性の低い材質で成形することができる。
【００１３】
前記上部側センターピラーインナパネル７１は、上端部をルーフパネル２の車体前後方向両側に沿って室内側に設けられた図示しないルーフレールに接合され、下端部をシートベルトリトラクタ８の取付部８Ａの上方位置まで配設されている。
また、この上部側センターピラーインナパネル７１は、車体前後方向両側のフランジ部７１ａを前記サイドボディアウタパネル５のセンターピラー部５１の前後のフランジ部５１ａに閉じ断面を形成するようにスポット溶接ｗにより接合されている。
【００１４】
一方、下部側センターピラーインナパネル７２は、車体前後方向両側の上部フランジ部７２ａを前記サイドボディアウタパネル５のセンターピラー部５１の前後のフランジ部５１ａにスポット溶接ｗにより接合されている。また、下部側センターピラーインナパネル７２は、下部側７２ｂをセンターピラー６の中間部の幅ｍ１よりも太い幅ｍ２で下方に垂下させ、略四角形状のパネル部分７２ｃが前記サイドボディアウタパネル５のサイドシル部５２に接合されたサイドシルストレングス９に重なるように延出されている。この四角形状のパネル部分７２ｃは上下部７２ｄ，７２ｅをサイドシルストレングス９の上下部側フランジ部９ａ，９ｂにスポット溶接ｗにより接合されている。このサイドシルストレングス９の車室内側には、サイドシルインナパネル１０がスポット溶接ｗにより接合されて閉じ断面が形成されている。前記サイドボディアウタパネル５のサイドシル部５２と、サイドシルストレングス９と、サイドシルインナパネル１０が互いにスポット溶接ｗにより３枚で接合されてサイドシル部３が形成されている。
【００１５】
前記下部側センターピラーインナパネル７２の上端縁部には、車室内側に膨出した膨出部７２ｆが形成されており、前記サイドボディアウタパネル５のセンターピラー部５１と、該膨出部７２ｆとの間の空間部７２ｇには、シートベルトリトラクタ８の取付部８Ａが設けられている。前記シートベルトリトラクタ８は膨出部７２ｆの壁面に設けられた取付穴７２ｈにねじ７２ｉ等を介して１か所で取り付けられている。このシートベルトリトラクタ８を取り付ける結合点（ねじ７２ｉ位置）は、下部側センターピラーインナパネル７２の車体前後方向両側の上部フランジ部７２ａの上部同士を結ぶ線Ｌ１と、下部同士を結ぶ線Ｌ２で囲まれた領域に設けられている。
【００１６】
上記構成によると、サイドボディアウタパネル５のサイドシル部５２と、サイドシルストレングス９と、サイドシルインナパネル１０が互いにスポット溶接ｗにより接合されてサイドシル部３が形成されている。そして、このサイドシル部３には、略四角形状のパネル部分７２ｃが前記サイドボディアウタパネル５のサイドシル部５２に接合されたサイドシルストレングス９に重なるように延出されているので、サイドシル部３を補強し、剛性を向上することができる。したがって、サイドシル部３の剛性を向上することができるので、従来使用していたサイドシル部を補強するバルクヘッドを廃止することができる。
【００１７】
また、センターピラーインナパネル７は、上部側センターピラーインナパネル７１と下部側センターピラーインナパネル７２とで上下に分割して構成されているので、この部分を脆弱部にすることができる。そして、側突に際しては、この上部側センターピラーインナパネル７１と下部側センターピラーインナパネル７２の間の脆弱部で折れを誘発することができる。このため、折れを発生させたくないベルトライン部での折れを防ぎ、室内乗員の障害値を低下させることができる。
【００１８】
センターピラーインナパネル７は、上部側センターピラーインナパネル７１と下部側センターピラーインナパネル７２とで上下に分割して構成されているので、シートベルトリトラクタ８からシートベルトを引き出す穴を開ける必要がないことから、作業能率の向上を図ることができる。また、下部側センターピラーインナパネル７２には、上部側センターピラーインナパネル７１よりも強度の低い素材を用いることができるので、絞りなどのプレス形状の自由度が向上するので、作成作業が容易となり、かつ経済的である。
【００１９】
下部側センターピラーインナパネル７２に、シートベルトリトラクタ８を固定する座面を設けることができるので、シートベルトリトラクタ８を固定するブラケットが不要となる。また、下部側センターピラーインナパネル７２には、ドア用ハーネスの固定穴を設けることができるので、ハーネス用のブラケットが不要となる。したがって、軽量化が図れると共に経済的である。下部側センターピラーインナパネル７２には、エアバッグ（Ａ/Ｂ）システムのセンサの固定も行うことができるので、多くの用途に用いることができる。
【００２０】
なお、本発明は、上記実施の形態のみに限定されるものではなく、例えば、上部側センターピラーインナパネル７１と下部側センターピラーインナパネル７２は、上下方向に一定の間隙Ｌを置いて配設されているが、この間隙Ｌは必要に応じて任意に設定することができる。また、下部側センターピラーインナパネル７２は、略四角形状のパネル部分７２ｃの大きさを変えることで、バルクヘッドとしての機能をより大きくすることができる。その他、本発明の技術的範囲を変更しない範囲内で適宜変更して実施し得ることは言うまでもない。
【符号の説明】
【００２１】
１  車体
２  ルーフパネル
３  サイドシル部
４  サイドボディ
５  サイドボディアウタパネル
６  センターピラー
７  センターピラーインナパネル
８  シートベルトリトラクタ
９  サイドシルストレングス
１０  サイドシルインナパネル
５１  サイドボディアウタパネルのセンターピラー部
７１  上部側センターピラーインナパネル
７２  下部側センターピラーインナパネル
【図１】
2014118109.tif 000003
【図２】
2014118109.tif 000004
【図３】
2014118109.tif 000005